(57)【要約】【課題】プラグコンタクトの先端部およびレセプタクルコンタクトの先端部の少なくとも一方の形状の適正化を図ることにより、レセプタクルコンタクトに対するプラグコンタクトの接触安定性に優れた電気コネクタを提供することにある。【解決手段】レセプタクルコンタクト11、および該レセプタクルコンタクト11を収容する第１貫通穴12をもつ第１ハウジング13を有するレセプタクルコネクタ10と、プラグコンタクト51、および該プラグコンタクト51を収容する第２貫通穴52をもつ第２ハウジング53を有するプラグコネクタ50とを具え、プラグコンタクト51の先端部54およびレセプタクルコンタクト11の先端部14の双方に、それぞれ千鳥状に分岐させた少なくとも３個の分割接点部55〜57および15〜17を設けることを特徴とする。【選択図】図９
2006049130.tif 000002
【特許請求の範囲】
【請求項１】
導電性材料からなる少なくとも１個の板状のレセプタクルコンタクト、および該レセプタクルコンタクトを収容する第１貫通穴をもつ絶縁材料からなる第１ハウジングを有するレセプタクルコネクタと、導電材料からなる少なくとも1個の板状のプラグコンタクト、および該プラグコンタクトを収容する第２貫通穴をもつ絶縁材料からなる第２ハウジングを有するプラグコネクタとを具え、
プラグコンタクトの先端部およびレセプタクルコンタクトの先端部の少なくとも一方に、千鳥状に分岐させた少なくとも３個の分割接点部を設けることを特徴とする電気コネクタ。
【請求項２】
前記プラグコンタクトの先端部のみに、前記分割接点部を設けることを特徴とする請求項１記載の電気コネクタ。
【請求項３】
前記分割接点部は、先端部に３個設けられ、中央に位置する主分割接点部の幅が広く、両側に位置する副分割接点部の幅が狭く、プラグコンタクトとレセプタクルコンタクトの先端部が係合する請求項１または２記載の電気コネクタ。
【請求項４】
前記レセプタクルコンタクトの先端部にも、プラグコンタクトの分割接点部と同数の分割接点部を設け、プラグコンタクトの先端部がレセプタクルコンタクトの先端部に誘導されて噛み合い係合するように、プラグコネクタがレセプタクルコネクタに接続されることを特徴とする請求項１、２または３記載の電気コネクタ。
【請求項５】
レセプタクルコンタクトは、その側面視にて、主分割接点部と両副分割接点部とが、先端側位置で拡開するように形成する請求項３または４記載の電気コネクタ。
【請求項６】
プラグコンタクトは、主分割接点部と両副分割接点部とが、先端側位置で閉じる方向にばね力を付勢して形成する請求項３または４記載の電気コネクタ。
【請求項７】
レセプタクルコネクタの第１貫通穴は、レセプタクルコンタクトの少なくとも片面が、全長にわたって第１ハウジングと非接触状態になるように形成する請求項１〜６のいずれか１項記載の電気コネクタ。
【請求項８】
プラグコネクタは、複数個のプラグコンタクトとこれらプラグコンタクトを収容する同数の第２貫通穴を有し、該第２貫通穴は、プラグコンタクトの後端部のみを収容する短穴であり、プラグコンタクトの先端部は、他のプラグコンタクトと同じ開口空間内にある請求項１〜７のいずれか１項記載の電気コネクタ。
【請求項９】
プラグコンタクトの後端部は、少なくとも片面が第２ハウジングと非接触状態になるように形成する請求項８記載の電気コネクタ。
【請求項１０】
レセプタクルコネクタの第１貫通穴およびプラグコネクタの第２貫通穴は、それぞれのコンタクトの先端部の千鳥形状に対応して嵌入可能な断面形状を有する請求項1〜９のいずれか１項記載の電気コネクタ。
【発明の詳細な説明】
【技術分野】
【０００１】
この発明は、レセプタクルコンタクトに対するプラグコンタクトの接触安定性に優れた電気コネクタに関する。
【背景技術】
【０００２】
従来の電気コネクタは、一般に、プラグコンタクトが、例えば特許文献１に示すようなブレード状あるいは特許文献２に示すようなピン状の断面形状を有し、このプラグコンタクトに対向するレセプタクルコンタクトは、内向きのばね力を付勢した一対の片持ち梁状ビームを有し、コネクタ接続時には、ブレード状またはピン状のプラグコンタクトが、レセプタクルコンタクトのビーム間に挿入することにより、電気接点を形成する。
【特許文献１】特開２００３−１４２２１３号公報
【特許文献２】特開平１０−１８９１０５号公報
【０００３】
しかしながら、上記電気コネクタは、プラグコンタクトとレセプタクルコンタクトの接点部が、レセプタクルコンタクトの1対のビームの内向きに付勢したばね力のみを利用し、プラグコンタクトを前記ビームで挟持することによって、両コンタクト間の接触を維持する構成であるため、十分な接触安定性が得られているとは言い難かった。そして、十分な接触安定性が得られないと、いずれかの接点部に電流が集中してコンタクト自体が高温にまで過熱されやすく、このコンタクトの熱が他のコネクタ部材にも伝播し、この伝播した熱は、電気コネクタと接続される電気回路等に悪影響を与えかねないという問題がある。
【０００４】
特に、例えば３０アンペア以上の比較的大電流が流れる電気パワーコネクタでは、コンタクト間に大電流が流れるため、コンタクトがより一層高温にまで過熱されるため、上記問題が顕著に生じやすい。
【発明の開示】
【発明が解決しようとする課題】
【０００５】
この発明の目的は、プラグコンタクトの先端部およびレセプタクルコンタクトの先端部の少なくとも一方の形状の適正化を図ることにより、レセプタクルコンタクトに対するプラグコンタクトの接触安定性に優れた電気コネクタを提供する。
【課題を解決するための手段】
【０００６】
上記目的を達成するため、この発明に従う電気コネクタは、導電性材料からなる少なくとも１個の板状のレセプタクルコンタクト、および該レセプタクルコンタクトを収容する第１貫通穴をもつ絶縁材料からなる第１ハウジングを有するレセプタクルコネクタと、導電材料からなる少なくとも1個の板状のプラグコンタクト、および該プラグコンタクトを収容する第２貫通穴をもつ絶縁材料からなる第２ハウジングを有するプラグコネクタとを具え、プラグコンタクトの先端部およびレセプタクルコンタクトの先端部の少なくとも一方に、千鳥状に分岐させた少なくとも３個の分割接点部を設けることにある。特に、前記プラグコンタクトの先端部のみに、前記分割接点部を設けることが好ましい。
【０００７】
前記分割接点部は、例えば、先端部に３個設けられ、中央に位置する主分割接点部の幅が広く、両側に位置する副分割接点部の幅が狭く、プラグコンタクトとレセプタクルコンタクトの先端部が係合することが好適である。
【０００８】
レセプタクルコンタクトに対するプラグコンタクトの接触安定性をより一層高める必要がある場合には、前記レセプタクルコンタクトの先端部にも、プラグコンタクトの分割接点部と同数の分割接点部を設け、プラグコンタクトの先端部がレセプタクルコンタクトの先端部に誘導されて噛み合い係合するように、プラグコネクタがレセプタクルコネクタに接続されることが好ましい。
【０００９】
前記噛み合い係合に際し、プラグコンタクトの先端部のレセプタクルコンタクトの先端部への誘導を容易にする手段としては、例えば、レセプタクルコンタクトは、その側面視にて、主分割接点部と両副分割接点部とが、先端側位置で拡開するように形成することが好ましい。
【００１０】
また、レセプタクルコンタクトに対するプラグコンタクトの接触安定性を得るための手段としては、例えば、プラグコンタクトは、主分割接点部と両副分割接点部とが、先端側位置で閉じる方向にばね力を付勢して形成することが好ましい。
【００１１】
さらに、コンタクトの放熱を行なう観点から、レセプタクルコネクタの第１貫通穴は、レセプタクルコンタクトの少なくとも片面が、全長にわたって第１ハウジングと非接触状態になるように形成することが好適である。
【００１２】
プラグコネクタの具体的な構成としては、例えば、複数個のプラグコンタクトとこれらプラグコンタクトを収容する同数の第２貫通穴を有し、該第２貫通穴は、プラグコンタクトの後端部のみを収容する短穴であり、プラグコンタクトの先端部は、他のプラグコンタクトと同じ開口空間内にあることが好ましく、加えて、コンタクトの放熱の観点から、プラグコンタクトの後端部は、少なくとも片面が第２ハウジングと非接触状態になるように形成することが好適である。
【００１３】
レセプタクルコネクタの第１貫通穴およびプラグコネクタの第２貫通穴は、それぞれのコンタクトの先端部の千鳥形状に対応して嵌入可能な断面形状を有することが好ましい。
【発明の効果】
【００１４】
この発明によれば、プラグコンタクトの先端部およびレセプタクルコンタクトの先端部の少なくとも一方の形状の適正化を図ることにより、レセプタクルコンタクトに対するプラグコンタクトの接触安定性に優れた電気コネクタの提供が可能になった。
【００１５】
加えて、前記分割接点部を、プラグコンタクトとレセプタクルコンタクトの先端部に各３個設けるとともに、プラグコンタクトとレセプタクルコンタクトの先端部を噛み合い係合にすれば、両コンタクト間の接触安定性がより一層向上する。
【００１６】
さらに、レセプタクルコネクタの第１貫通穴は、レセプタクルコンタクトの少なくとも片面が、全長にわたって第１ハウジングと非接触状態になるように形成し、および／または、プラグコネクタは、複数個のプラグコンタクトとこれらプラグコンタクトと同数の第２貫通穴を有し、プラグコネクタの第２貫通穴は、プラグコンタクトの後端部のみを収容する短穴であり、プラグコンタクトの先端部は、他のプラグコンタクトと同じ開口空間内にあり、プラグコネクタの後端部は、少なくとも片面が第１ハウジングと非接触状態になるように形成すれば、コンタクトが高温に過熱されたとしても、コンタクトの放熱を促進する効果がある。
【発明を実施するための最良の形態】
【００１７】
次に、この発明を実施するための最良の形態を図面を参照しながら以下で説明する。
図１および図２は、この発明に従う代表的な電気コネクタを構成するレセプタクルコネクタの斜視図および前面図であり、図３は、図2のＡ−Ａ線上の断面図であり、図４はレセプタクルコンタクトの斜視図であり、図５および図６は、この発明に従う代表的な電気コネクタを構成するプラグコネクタの斜視図および前面図であり、図７は、図６のＢ−Ｂ線上の断面図であり、図８はプラグコンタクトの斜視図であり、そして、図９は、コネクタ接続時における、レセプタクルコンタクトとプラグコンタクトの係合状態を示す斜視図である。
【００１８】
本発明の電気コネクタは、レセプタクルコネクタ10とプラグコネクタ50とで構成されている。
【００１９】
レセプタクルコネクタ10は、例えば、黄銅、ベリリウム銅、リン青銅等のような導電性材料からなる少なくとも１個の板状のレセプタクルコンタクト11と、該レセプタクルコンタクト11を収容する第１貫通穴12をもつ、例えばポリブチレンテレフタレート（PBT）やポリアミド（66PA、46PA）や液晶ポリマー（LCP）やポリカーボネート（PC）やこれらの合成材料のような絶縁材料からなる第１ハウジング13を有する。
【００２０】
プラグコネクタ50は、例えば、黄銅、ベリリウム銅、リン青銅等のような導電性材料からなる少なくとも１個の板状のプラグコンタクト51と、該プラグコンタクト51を収容する第２貫通穴52をもつ、例えばポリブチレンテレフタレート（PBT）やポリアミド（66PA、46PA）や液晶ポリマー（LCP）やポリカーボネート（PC）やこれらの合成材料のような絶縁材料からなる第２ハウジング53を有する。
【００２１】
そして、本発明の電気コネクタは、プラグコンタクト51の先端部54およびレセプタクルコンタクト11の先端部14の少なくとも一方に、千鳥状に分岐させた少なくとも３個の分割接点部を設けるように構成する。
【００２２】
尚、図１に示すレセプタクルコネクタ10及び図５に示すプラグコネクタ50では、レセプタクルコンタクト11の先端部14およびプラグコンタクト51の先端部54の双方に、千鳥状に分岐させた３個の分割接点部を設けた場合を示しているが、レセプタクルコンタクト11の先端部14のみ、または、プラグコンタクト51の先端部54のみに、千鳥状に分岐させた３個の分割接点部を設けてもよい。
【００２３】
レセプタクルコンタクト11の先端部14およびプラグコンタクト51の先端部54の双方に分割接点部を設ける場合には、両者とも、同数の分割接点部を設けて、互いに噛み合い係合できるように構成すればよいため、各コンタクト11、51に設ける分割接点部の個数は、それぞれ3個より多くても良いが、その場合、接触安定性の点から、それぞれ奇数個の分割接点部を設けることが好適である。
【００２４】
図1に示すレセプタクルコネクタ10では、レセプタクルコンタクト11の先端部が、３個の分割接点部15〜17によって形成され（図４）、前記分割接点部15〜17は、中央に位置する主分割接点部15の幅が広く、両側に位置する副分割接点部16および17の幅が狭くなっており、具体的には、主分割接点部15の幅は、副分割接点部16、17の幅の1.5〜2.5倍とすることが好ましい。
【００２５】
また、図５に示すプラグコネクタ50では、プラグコンタクト51の先端部が、３個の分割接点部55〜57によって形成され（図８）、前記分割接点部55〜57は、中央に位置する主分割接点部55の幅が広く、両側に位置する副分割接点部56および57の幅が狭くなっており、具体的には、主分割接点部55の幅は、副分割接点部56、57の幅の1.5〜2.5倍とすることが好ましい。
【００２６】
レセプタクルコンタクト11は、その側面視にて、主分割接点部15と両副分割接点部16、17とが、先端側位置で拡開するように形成することが、プラグコンタクト51を係合する際の誘導が容易になる点で好ましい。尚、レセプタクルコンタクト11の上記分割接点部15〜17の形成方法としては、例えば、公知技術のプレス加工による方法が挙げられる。
【００２７】
プラグコンタクト51は、主分割接点部55と両副分割接点部56、57とが、先端側位置で閉じる方向にばね力を付勢して形成することが好ましく、特に、レセプタクルコンタクト11の先端部との安定した電気接点を形成するため、プラグコンタクト51の先端部は、円弧状等の曲面で形成することがより好適である。尚、プラグコンタクト51の上記分割接点部55〜57の形成方法としては、例えば、公知技術のプレス加工による方法が挙げられる。
【００２８】
レセプタクルコネクタ10の第１貫通穴12は、レセプタクルコンタクト11の少なくとも片面が、全長にわたって第１ハウジング13と非接触状態になるように形成することが、コンタクトの熱を外部に有効に放出することができる点で好ましい。図３では、第1貫通穴12が、レセプタクルコンタクト11の後端側部分11aでは、レセプタクルコンタクト11の片面が第１ハウジング13の壁面と非接触状態であるとともに、レセプタクルコンタクト11の先端側部分11bでは、レセプタクルコンタクト11の両面が第１ハウジング13の壁面と非接触状態であり、これによって、コンタクトの放熱を有効に行なうことができる。
【００２９】
プラグコネクタ50は、複数個のプラグコンタクト51とこれらプラグコンタクト51を収容する同数の第２貫通穴52を有し、プラグコネクタ50の第２貫通穴52は、プラグコンタクト51の後端部51aのみを収容する短穴であり、プラグコンタクト51の先端部54は、他のプラグコンタクトと同じ開口空間58内にあることが、コンタクトの放熱を有効に行なう上で好ましい。
【００３０】
プラグコンタクト51の後端部51aは、少なくとも片面が第２ハウジング53と非接触状態になるように形成することが、コンタクトの放熱を促進する上で好ましい。
【００３１】
さらに、レセプタクルコネクタ10の第１貫通穴12およびプラグコネクタ50の第２貫通穴52は、それぞれのコンタクト11、51の先端部14、54の千鳥形状に対応して嵌入可能な断面形状を有することが好ましい。
【００３２】
尚、上述したところは、この発明の実施形態の一例を示したにすぎず、請求の範囲において種々の変更を加えることができる。
例えば、図４に示すレセプタクルコンタクト11は、4本の端子18〜21がコンタクト側方に配置された、いわゆるライトアングルタイプのコンタクトであり、また、図８に示すプラグコンタクト51は、4本の端子58〜61がコンタクト後方に配置された、いわゆるストレートタイプのコンタクトであるが、両コンタクト11、51のタイプを逆にしたり、双方とも同じタイプのものを用いてもよい。加えて、各コネクタ10、50にそれぞれ配設するコンタクト11、51の個数や、各コンタクト11、51に配置する端子の個数についても、特に限定はせず、必要に応じて適宜増減することができる。
【産業上の利用可能性】
【００３３】
この発明によれば、プラグコンタクトの先端部およびレセプタクルコンタクトの先端部の少なくとも一方の形状の適正化を図ることにより、レセプタクルコンタクトに対するプラグコンタクトの接触安定性に優れた電気コネクタの提供が可能になった。
【００３４】
加えて、前記分割接点部を、プラグコンタクトとレセプタクルコンタクトの先端部に各３個設けるとともに、プラグコンタクトとレセプタクルコンタクトの先端部を噛み合い係合にすれば、両コンタクト間の接触安定性がより一層向上する。
【００３５】
さらに、レセプタクルコネクタの第１貫通穴は、レセプタクルコンタクトの少なくとも片面が、全長にわたって第１ハウジングと非接触状態になるように形成し、および／または、プラグコネクタは、複数個のプラグコンタクトとこれらプラグコンタクトと同数の第２貫通穴を有し、プラグコネクタの第２貫通穴は、プラグコンタクトの後端部のみを収容する短穴であり、プラグコンタクトの先端部は、他のプラグコンタクトと同じ開口空間内にあり、プラグコネクタの後端部は、少なくとも片面が第１ハウジングと非接触状態になるように形成すれば、コンタクトが高温に過熱されたとしても、コンタクトの放熱を促進する効果がある。
【図面の簡単な説明】
【００３６】
【図１】この発明に従う代表的な電気コネクタを構成するレセプタクルコネクタの斜視図である。
【図２】図１に示すレセプタクルコネクタの前面図である。
【図３】図2のＡ−Ａ線上の断面図である。
【図４】図1に使用したレセプタクルコンタクトの斜視図である。
【図５】この発明に従う代表的な電気コネクタを構成するプラグコネクタの斜視図である。
【図６】この発明に従う代表的な電気コネクタを構成するプラグコネクタの前面図である。
【図７】図６のＢ−Ｂ線上の断面図である。
【図８】プラグコンタクトの斜視図である。
【図９】コネクタ接続時における、レセプタクルコンタクトとプラグコンタクトの係合状態を示す斜視図である。
【符号の説明】
【００３７】
10  レセプタクルコネクタ
11  レセプタクルコンタクト
12  第１貫通穴
13  第１ハウジング
14  レセプタクルコンタクトの先端部
15  レセプタクルコンタクトの主分割接点部
16、17  レセプタクルコンタクトの副分割接点部
18、19、20、21  端子
50  プラグコネクタ
51  プラグコンタクト
52  第２貫通穴
53  第２ハウジング
54  プラグコンタクトの先端部
55  プラグコンタクトの主分割接点部
56、57  プラグコンタクトの副分割接点部
58、59、60、61  端子
【図１】
2006049130.tif 000003
【図２】
2006049130.tif 000004
【図３】
2006049130.tif 000005
【図４】
2006049130.tif 000006
【図５】
2006049130.tif 000007
【図６】
2006049130.tif 000008
【図７】
2006049130.tif 000009
【図８】
2006049130.tif 000010
【図９】
2006049130.tif 000011